(57)【要約】      （修正有）【課題】背側胴回り域において吸収体の幅が狭く見えてしまうことを抑制可能なパンツ型吸収性物品を提供する。【解決手段】吸収性本体１０と前側ベルト部２０と後側ベルト部３０とを有するパンツ型吸収性物品であって、吸収性本体１０は、左右方向の両側部に、上下方向に沿った一対の脚回り図柄を有しており、上下方向において、脚回り図柄が後側ベルト部３０と重複している部分の長さＬｂは、上下方向において、脚回り図柄が前側ベルト部２０と重複している部分の長さＬｆよりも短い。【選択図】図４
0003217274.tif 000002
【実用新案登録請求の範囲】
【請求項１】
互いに交差する上下方向と左右方向と前後方向とを有し、
吸収性本体と、前側ベルト部と、後側ベルト部と、を有するパンツ型吸収性物品であって、
前記吸収性本体は、前記左右方向の両側部に、前記上下方向に沿った一対の脚回り図柄を有しており、
前記上下方向において、前記脚回り図柄が前記後側ベルト部と重複している部分の長さは、
前記上下方向において、前記脚回り図柄が前記前側ベルト部と重複している部分の長さよりも短い、ことを特徴とするパンツ型吸収性物品。
【請求項２】
請求項１に記載のパンツ型吸収性物品であって、
前記脚回り図柄は、前記前側ベルト部と重複する部分を有し、前記後側ベルトとは重複していない、ことを特徴とするパンツ型吸収性物品。
【請求項３】
請求項１または２に記載のパンツ型吸収性物品であって、
前記吸収性本体の後側上端部では、前記左右方向の一方側に配置された前記脚回り図柄の内側端と、前記左右方向の他方側に配置された配置された前記脚回り図柄の内側端との前記左右方向における間隔が、前記上下方向の上側ほど広くなっている、ことを特徴とするパンツ型吸収性物品。
【請求項４】
請求項３に記載のパンツ型吸収性物品であって、
前記脚回り図柄は、前記吸収性本体の後側上端部において、前記左右方向の内側端が前記上下方向に対して傾斜した傾斜部を有しており、
前記傾斜部の前記上下方向における長さは、前記傾斜部の前記左右方向における長さよりも長い、ことを特徴とするパンツ型吸収性物品。
【請求項５】
請求項４に記載のパンツ型吸収性物品であって、
前記傾斜部の前記上下方向における長さは、前記傾斜部の前記左右方向における長さの２倍よりも長い、ことを特徴とするパンツ型吸収性物品。
【請求項６】
請求項１〜５のいずれか１項に記載のパンツ型吸収性物品であって、
前記脚回り図柄は、前記吸収性本体の後側上端部において、前記左右方向の内側端が前記上下方向に対して傾斜した傾斜部を有しており、
前記上下方向において、前記傾斜部の下端は、前記後側ベルト部の下端と前記吸収性本体の下端との間に位置している、ことを特徴とするパンツ型吸収性物品。
【請求項７】
請求項６に記載のパンツ型吸収性物品であって、
前記上下方向において、前記傾斜部の下端は、前記後側ベルト部の下端と前記吸収性本体の下端との中間よりも上側に位置している、ことを特徴とするパンツ型吸収性物品。
【請求項８】
請求項１〜７のいずれか１項に記載のパンツ型吸収性物品であって、
前記後側ベルト部には、前記左右方向に伸縮する後側胴回り弾性部材が設けられており、
前記脚回り図柄の前記左右方向の内側端は、前記後側胴回り弾性部材と重複していない、ことを特徴とするパンツ型吸収性物品。
【請求項９】
請求項１〜８のいずれか１項に記載のパンツ型吸収性物品であって、
前記前側ベルト部には、前記左右方向に伸縮する前側胴回り弾性部材が設けられており、
前記脚回り図柄の前記左右方向の内側端は、前記前側胴回り弾性部材と重複する部分を有している、ことを特徴とするパンツ型吸収性物品。
【請求項１０】
請求項１〜９のいずれか１項に記載のパンツ型吸収性物品であって、
前記後側ベルト部の前記上下方向の下端位置における、前記脚回り図柄の前記左右方向の幅は、
前記前側ベルト部の前記上下方向の下端位置における、前記脚回り図柄の前記左右方向の幅よりも狭い、ことを特徴とするパンツ型吸収性物品。
【請求項１１】
請求項１〜１０のいずれか１項に記載のパンツ型吸収性物品であって、
前記前側ベルト部には、前記左右方向に伸縮する前側胴回り弾性部材が設けられており、前記前側ベルト部の前記左右方向の中央部において、前記前側胴回り弾性部材による伸縮力が作用しない部分を有し、
前記後側ベルト部には、前記左右方向に伸縮する後側胴回り弾性部材が設けられており、前記後側ベルト部の前記左右方向の中央部において、前記後側胴回り弾性部材による伸縮力が作用しない部分を有し、
前記後側胴回り弾性部材による伸縮力が作用しない部分の前記左右方向における長さは、前記前側胴回り弾性部材による伸縮力が作用しない部分の前記左右方向における長さよりも長い、ことを特徴とするパンツ型吸収性物品。
【請求項１２】
請求項１〜１０のいずれか１項に記載のパンツ型吸収性物品であって、
前記前側ベルト部には、前記左右方向に伸縮する前側胴回り弾性部材が設けられており、前記前側ベルト部の前記左右方向の中央部において、前記前側胴回り弾性部材による伸縮力が作用しない部分を有し、
前記後側ベルト部には、前記左右方向に伸縮する後側胴回り弾性部材が設けられており、前記後側ベルト部の前記左右方向の中央部において、前記後側胴回り弾性部材による伸縮力が作用しない部分を有し、
前記前側胴回り弾性部材による伸縮力が作用しない部分の前記左右方向における長さは、前記後側胴回り弾性部材による伸縮力が作用しない部分の前記左右方向における長さ以上である、ことを特徴とするパンツ型吸収性物品。
【請求項１３】
請求項１〜１２のいずれか１項に記載のパンツ型吸収性物品であって、
前記脚回り図柄は横縞模様である、ことを特徴とするパンツ型吸収性物品。
【考案の詳細な説明】
【技術分野】
【０００１】
本考案は、パンツ型吸収性物品に関する。
【背景技術】
【０００２】
パンツ型吸収性物品として、パンツ型使い捨ておむつが知られている。特許文献１には、前身頃外装体（前側ベルト部）と後身頃外装体（後側ベルト部）の間に吸収性本体が架橋され、前身頃外装体と後身頃外装体の幅方向両側縁が互いに接合され、腰周り開口部及び脚回り開口部が形成されたパンツ型使い捨ておむつが開示されている。当該パンツ型使い捨ておむつには、脚回り開口の周縁部（サイドフラップ）に沿って図柄が設けられており、おむつ着用時における図柄の状態を確認することによって、使用者（おむつを着用させる者）は、脚回り開口部が着用者の脚繰りに沿ってフィットしているか否かを判断することができる。
【先行技術文献】
【特許文献】
【０００３】
【特許文献１】特開２０１５−９２９４７号
【考案の概要】
【考案が解決しようとする課題】
【０００４】
特許文献１のパンツ型おむつに設けられた図柄は、脚回り開口の周縁部において、股下側から胴回り側まで延びるように配置されている。すなわち、脚回り開口に沿うようにして、左右一対の帯状の図柄が吸収性本体を挟み込みむよう配置されている。ところで、特許文献１のパンツ型おむつでは、胴回り開口部を構成するベルト部材（ウエストパネル）が、ウエスト弾性部材が発現する伸縮性によって左右方向に収縮する際に、当該ベルト部材と重複する領域において、一対の帯状の図柄の左右方向における間隔が狭くなる。つまり、胴回り部における図柄の間隔が、股下部における図柄の間隔よりも狭くなる。特に、背側ではウエスト弾性部材による伸縮力が強く設定されている場合が多いため、背側ウエスト域において図柄の間隔が狭く見えやすくなる傾向がある。そのため、背側ウエスト域において吸収体の幅が狭く見えてしまい、臀部がしっかりと覆われていないような印象を使用者（着用者）に生じさせるおそれがある。
【０００５】
本考案は、上記のような従来の問題に鑑みてなされたものであって、その目的は、背側胴回り域において吸収体の幅が狭く見えてしまうことを抑制可能なパンツ型吸収性物品を提供することにある。
【課題を解決するための手段】
【０００６】
上記目的を達成するための主たる考案は、互いに交差する上下方向と左右方向と前後方向とを有し、吸収性本体と、前側ベルト部と、後側ベルト部と、を有するパンツ型吸収性物品であって、前記吸収性本体は、前記左右方向の両側部に、前記上下方向に沿った一対の脚回り図柄を有しており、前記上下方向において、前記脚回り図柄が前記後側ベルト部と重複している部分の長さは、前記上下方向において、前記脚回り図柄が前記前側ベルト部と重複している部分の長さよりも短い、ことを特徴とするパンツ型吸収性物品である。
本考案の他の特徴については、本明細書及び添付図面の記載により明らかにする。
【考案の効果】
【０００７】
本考案によれば、背側胴回り域において吸収体の幅が狭く見えてしまうことを抑制可能なパンツ型吸収性物品を提供することができる。
【図面の簡単な説明】
【０００８】
【図１】パンツ型使い捨ておむつ１（おむつ１）の概略斜視図である。
【図２】展開かつ伸長状態のおむつ１の平面図である。
【図３】吸収性本体１０の構成について説明する平面図及び断面図である。
【図４】一対の脚回り図柄６０の形状及び配置について説明する概略平面図である。
【図５】図５Ａ及び図５Ｂは、比較例のおむつ２の外観について説明する図である。
【図６】図６Ａ及び図６Ｂは、おむつ１の外観について説明する図である。
【図７】おむつ１の脚回り図柄６０の視認性について実験した結果を表す表である。
【図８】脚回り図柄６０の変形例について表す図である。
【０００９】
本明細書及び添付図面の記載により、少なくとも以下の事項が明らかとなる。
互いに交差する上下方向と左右方向と前後方向とを有し、吸収性本体と、前側ベルト部と、後側ベルト部と、を有するパンツ型吸収性物品であって、前記吸収性本体は、前記左右方向の両側部に、前記上下方向に沿った一対の脚回り図柄を有しており、前記上下方向において、前記脚回り図柄が前記後側ベルト部と重複している部分の長さは、前記上下方向において、前記脚回り図柄が前記前側ベルト部と重複している部分の長さよりも短い、ことを特徴とするパンツ型吸収性物品。
【００１０】
このようなパンツ型吸収性物品によれば、吸収性物品を後側（背側）から見たときに、後側ベルト部と重複している領域において、一対の脚回り図柄の内側端間隔が狭くなっているのが目立ちにくい。これにより、後側（背側）の胴回り域において吸収性本体の幅が狭く見えてしまうことが抑制され、使用者に不安感を生じさせ難くすることができる。
【００１１】
かかるパンツ型吸収性物品であって、前記脚回り図柄は、前記前側ベルト部と重複する部分を有し、前記後側ベルトとは重複していない、ことが望ましい。
【００１２】
このようなパンツ型吸収性物品によれば、後側（背側）の胴回り域において、脚回り図柄と後側ベルト部との重複範囲が小さいほど、脚回り図柄の内側端間隔Ｗが狭くなるのが目立ちにくくなる。したがって、脚回り図柄が後側ベルトと重複していないことにより、背側において吸収性本体の幅が狭く見ることをより抑制しやすくなる。
【００１３】
かかるパンツ型吸収性物品であって、前記吸収性本体の後側上端部では、前記左右方向の一方側に配置された前記脚回り図柄の内側端と、前記左右方向の他方側に配置された配置された前記脚回り図柄の内側端との前記左右方向における間隔が、前記上下方向の上側ほど広くなっている、ことが望ましい。
【００１４】
このようなパンツ型吸収性物品によれば、後側ベルト部が左右方向に収縮するのに応じて脚回り図柄の左右方向の間隔が狭くなったとしても、内側端間隔自体は狭くなったように見えにくい。すなわち、脚回り図柄の内側端間隔が変化していないように錯覚させることによって、背側において吸収性本体の幅が狭く見えてしまうことを抑制できる。
【００１５】
かかるパンツ型吸収性物品であって、前記脚回り図柄は、前記吸収性本体の後側上端部において、前記左右方向の内側端が前記上下方向に対して傾斜した傾斜部を有しており、前記傾斜部の前記上下方向における長さは、前記傾斜部の前記左右方向における長さよりも長い、ことが望ましい。
【００１６】
このようなパンツ型吸収性物品によれば、脚回り図柄の内側端間隔の広がり方が緩やかとなり、脚回り図柄の後側上端部に傾斜部が設けられていることが目立ちにくく、使用者に不自然な印象を与えにくくすることができる。
【００１７】
かかるパンツ型吸収性物品であって、前記傾斜部の前記上下方向における長さは、前記傾斜部の前記左右方向における長さの２倍よりも長い、ことが望ましい。
【００１８】
このようなパンツ型吸収性物品によれば、傾斜部における内側端間隔の広がり方がより緩やかとなり、使用者に不自然な印象をより与えにくくなる。また、傾斜が目立ちにくくなることにより、パンツ型吸収性物品の着用時において、脚回り図柄が曲がったり傾いたりして見えることを抑制できる。
【００１９】
かかるパンツ型吸収性物品であって、前記脚回り図柄は、前記吸収性本体の後側上端部において、前記左右方向の内側端が前記上下方向に対して傾斜した傾斜部を有しており、前記上下方向において、前記傾斜部の下端は、前記後側ベルト部の下端と前記吸収性本体の下端との間に位置している、ことが望ましい。
【００２０】
このようなパンツ型吸収性物品によれば、上下方向の下端では、脚回り図柄の内側端間隔が広くなっていないため、着用者の股下部で脚回り開口部に沿って脚回り図柄がはっきりと見え、脚繰りにおけるフィット性を視覚的に認識しやすくなる。また、上下方向の背側胴回り部付近では、内側端間隔が広がることにより、吸収性本体の左右方向への収縮が目立ちにくくなる。
【００２１】
かかるパンツ型吸収性物品であって、前記上下方向において、前記傾斜部の下端は、前記後側ベルト部の下端と前記吸収性本体の下端との中間よりも上側に位置している、ことが望ましい。
【００２２】
このようなパンツ型吸収性物品によれば、上下方向において後側ベルト部から遠く吸収性本体が左右方向に収縮しにくい領域においては脚回り図柄の内側端間隔が一定に保たれやすく、後側ベルト部に近く吸収性本体が左右方向に収縮しやすい領域において内側端間隔が広がりやすくなる。これにより、後側ベルト部付近において、吸収性本体の左右方向への収縮をより目立ちにくくすることができる。
【００２３】
かかるパンツ型吸収性物品であって、前記後側ベルト部には、前記左右方向に伸縮する後側胴回り弾性部材が設けられており、前記脚回り図柄の前記左右方向の内側端は、前記後側胴回り弾性部材と重複していない、ことが望ましい。
【００２４】
このようなパンツ型吸収性物品によれば、脚回り図柄が後側胴回り弾性部材による収縮力の影響を受けにくい。これにより、後側ベルト部と重複する領域において、脚回り図柄の内側端の左右方向における位置が変動しにくくなり、脚回り図柄の内側端間隔Ｗが狭くなったり、脚回り図柄自体が左右方向に曲がったりすることを抑制しやすくなる。
【００２５】
かかるパンツ型吸収性物品であって、前記前側ベルト部には、前記左右方向に伸縮する前側胴回り弾性部材が設けられており、前記脚回り図柄の前記左右方向の内側端は、前記前側胴回り弾性部材と重複する部分を有している、ことが望ましい。  
【００２６】
このようなパンツ型吸収性物品によれば、前側胴回り弾性部材による左右方向の収縮力は後側と比較して小さいため、脚回り図柄と前側胴回り弾性部材とが重複していたとしても、脚回り図柄の内側端間隔は狭くなりにくい。したがって、前側胴回り弾性部材の配置にかかわらず、脚回り図柄を形成することが可能となり、デザインの自由度を高めたり、脚回り図柄を印刷するための印刷コストを低く抑えたりすることができる。
【００２７】
かかるパンツ型吸収性物品であって、前記後側ベルト部の前記上下方向の下端位置における、前記脚回り図柄の前記左右方向の幅は、前記前側ベルト部の前記上下方向の下端位置における、前記脚回り図柄の前記左右方向の幅よりも狭い、ことが望ましい。
【００２８】
このようなパンツ型吸収性物品によれば、左右方向において、内側端間隔の両側に配置されている脚回り図柄の幅が狭いほど、内側端間隔が広く見える。すなわち、後側ベルト部の下端における脚回り図柄の幅が狭いほど、内側端間隔が広くなったように錯覚させやすい。これにより、背側胴回り域において吸収性本体が左右方向に広がったように見せることができる。
【００２９】
かかるパンツ型吸収性物品であって、前記前側ベルト部には、前記左右方向に伸縮する前側胴回り弾性部材が設けられており、前記前側ベルト部の前記左右方向の中央部において、前記前側胴回り弾性部材による伸縮力が作用しない部分を有し、前記後側ベルト部には、前記左右方向に伸縮する後側胴回り弾性部材が設けられており、前記後側ベルト部の前記左右方向の中央部において、前記後側胴回り弾性部材による伸縮力が作用しない部分を有し、前記後側胴回り弾性部材による伸縮力が作用しない部分の前記左右方向における長さは、前記前側胴回り弾性部材による伸縮力が作用しない部分の前記左右方向における長さよりも長い、ことが望ましい。  
【００３０】
このようなパンツ型吸収性物品によれば、後側胴回り弾性部材によって後側ベルト部に作用する左右方向の収縮力を弱めることができるため、吸収性本体も左右方向に収縮しにくくなる。これにより、背側胴回り域において吸収性本体の幅が狭く見えてしまうことを抑制しやすくなる。
【００３１】
かかるパンツ型吸収性物品であって、前記前側ベルト部には、前記左右方向に伸縮する前側胴回り弾性部材が設けられており、前記前側ベルト部の前記左右方向の中央部において、前記前側胴回り弾性部材による伸縮力が作用しない部分を有し、前記後側ベルト部には、前記左右方向に伸縮する後側胴回り弾性部材が設けられており、前記後側ベルト部の前記左右方向の中央部において、前記後側胴回り弾性部材による伸縮力が作用しない部分を有し、前記前側胴回り弾性部材による伸縮力が作用しない部分の前記左右方向における長さは、前記後側胴回り弾性部材による伸縮力が作用しない部分の前記左右方向における長さ以上である、ことが望ましい。  
【００３２】
このようなパンツ型吸収性物品によれば、前側胴回り弾性部材によって前側ベルト部に作用する左右方向の収縮力が弱くなるため、吸収性本体も収縮しにくくなる。したがって、後側胴回り域において吸収性本体の幅が狭く見えてしまうことが抑制されるのに加えて、前側胴回り域においても吸収性本体の幅が広く見えるようになる。これにより、着用者の身体の前後が吸収性本体によってしっかりと覆われているように見え、使用者（着用させる者）に安心感を与えることができる。
【００３３】
かかるパンツ型吸収性物品であって、前記脚回り図柄は横縞模様である、ことが望ましい。
【００３４】
このようなパンツ型吸収性物品によれば、着用時において、サイドフラップが着用者の脚に面でフィットしていることをより確認しやすくなる。また、脚回り図柄の左右方向への変動が目立ちにくくなり、パンツ型吸収性物品全体としての見栄えが悪化することを抑制することができる。
【００３５】
＝＝＝実施形態＝＝＝
本実施形態に係るパンツ型吸収性物品として、乳幼児用のパンツ型使い捨ておむつを例に挙げて説明する。但し、パンツ型吸収性物品は、乳幼児用の使い捨ておむつに限らず、大人用の使い捨ておむつや、生理用ショーツ等としても利用可能である。
【００３６】
＜パンツ型使い捨ておむつ１の構成＞
図１は、パンツ型使い捨ておむつ１（以下、単に「おむつ１」とも呼ぶ）の概略斜視図である。図２は、展開かつ伸長状態のおむつ１の平面図である。図３は、吸収性本体１０の構成について説明する平面図及び断面図である。
【００３７】
おむつ１は、図１に示すパンツ型状態において、互いに交差する上下方向、左右方向、及び前後方向を有し、胴回り開口部ＢＨ、及び、一対の脚回り開口部ＬＨが形成されている。上下方向において、胴回り開口部ＢＨ側を上側とし、股下側を下側とする。また、図３の断面図に示すように、おむつ１を構成する資材が積層された方向を厚さ方向といい、厚さ方向において着用者の身体（肌）と接触する側を肌側といい、着用者の身体（肌）と接触しない側を非肌側という。
【００３８】
また、おむつ１の「伸長状態」とは、おむつ１が備える各弾性部材（例えば、後述する脚回り弾性部材１７や胴回り弾性部材２３，３３等）を伸長させることにより、おむつ１全体（製品全体）を皺なく伸長させた状態、具体的には、おむつ１を構成する各部材（例えば、後述する吸収性本体１０や，ベルト部２０，３０等）の寸法がその部材単体の寸法と一致又はそれに近い寸法になるまで伸長させた状態のことを言う。
【００３９】
おむつ１は、平面視長方形状の３部材である、吸収性本体１０、前側ベルト部２０、及び、後側ベルト部３０を有する。前側ベルト部２０（腹側胴回り部）は着用者の腹側部に当てられ、後側ベルト部３０（背側胴回り部）は着用者の背側部に当てられる。
【００４０】
図２に示す展開状態のおむつ１において、前側ベルト部２０及び後側ベルト部３０は、それらの長手方向がおむつ１の左右方向に沿うように配置されている。そして、左右方向における前側ベルト部２０の中央部に、吸収性本体１０の長手方向一方側（前側）の端部が配置され、左右方向における後側ベルト部３０の中央部に、吸収性本体１０の長手方向他方側（後側）の端部が配置されている。
【００４１】
図２に示す展開状態のおむつ１において、吸収性本体１０の長手方向がおむつ１の上下方向に沿うように、吸収性本体１０が長手方向の所定位置ＦＬにて二つ折りされ、前側ベルト部２０と後側ベルト部３０とが左右方向の両端部にて、熱溶着や超音波溶着等の接合手段を用いて接合され、一対の接合領域４０が形成される。これにより、おむつ１は、胴回り開口部ＢＨ及び一対の脚回り開口部ＬＨを有するパンツ型状態（図１参照）となる。なお、所定位置ＦＬは、パンツ型状態のおむつ１においては、上下方向の下端であって、前後方向の中央となる位置である。
【００４２】
吸収性本体１０は、図３に示すように、吸収体１１と、吸収体１１よりも肌側に配置された液透過性のトップシート１２と、吸収体１１よりも非肌側に配置され、吸収性本体１０の外装をなすバックシート１３と、を備えている。また、吸収体１１の左右方向の両側には、一対の防漏壁部５０が設けられている。
【００４３】
吸収体１１は、尿等の排泄液を吸収して保持する吸収性コア１１Ａと、吸収性コア１１Ａを覆う液透過性のコアラップシート１１Ｂとを有する。吸収性コア１１Ａとしては、高吸収性ポリマー（ＳＡＰ）を含むパルプ等の液体吸収性繊維が所定の形状に成形されたものを例示できる。一方、コアラップシート１１Ｂとしては、例えばティッシュペーパーを例示できる。
【００４４】
本実施形態の吸収性コア１１Ａは、長手方向の前側端部と後側端部（上下方向における前側上端部と後側上端部）との間に、該前側端部及び後側端部と比較して左右方向における長さが短くなった（幅が狭くなった）くびれ部１１ＡＣを有しており、図３に示されるように平面視略砂時計型の形状となっている。このくびれ部１１ＡＣは、おむつ１の着用時において着用者の両脚に挟まれる部分であり、当該部分の左右方向における長さが短く（幅が狭く）なっていることにより、吸収性コア１１Ａが着用者の股間にフィットしやすくなる。
【００４５】
トップシート１２は、吸収体１１を肌側から覆うシート状の部材であり、例えば吸収体１１よりも大きい平面サイズの液透過性の不織布により形成される。
【００４６】
バックシート１３は、吸収性体１１を非肌側から覆うシート状の部材であり、吸収体１１より大きい平面サイズのシート部材である。バックシート１３は、例えば、ポリエチレン又はポリプロピレン等の液不透過性の防漏シートであるバックフィルム１３ａと、バックフィルム１３ａの非肌側に設けられた不織布等の外装シート１３ｂとからなる二層構造のシート部材である。また、おむつ１のバックシート１３には左右方向の両側部に、長手方向（上下方向）に沿った一対の脚回り図柄６０が設けられている。脚回り図柄６０については、後で説明する。
【００４７】
外装シート１３ｂは、左右方向において吸収体１１の両側の端１１ｅｓ，１１ｅｓから外側に大きく延出した延出部１３ｂｆを有している。この延出部１３ｂｆが、吸収性本体１０の左右方向両側の端１０ｅｓ，１０ｅｓを折り返し位置として左右方向の内側かつ厚さ方向の肌側に折り返され、厚さ方向に重ね合わされることによってサイドフラップＳＦが形成されている。サイドフラップＳＦでは、厚さ方向に折り重ねられた外装シート１３ｂｆ，１３ｂｆの間に、糸ゴム等の複数の脚回り弾性部材１７，１７…が、各々上下方向に伸長された状態で左右方向に所定の間隔を空けて固定されている。これにより、サイドフラップＳＦに対して、上下方向（吸収性本体１０の長手方向）に沿った伸縮性が付与される。そして、複数の脚回り弾性部材１７，１７が横方向に並んで配置されていることにより、サイドフラップＳＦは、図１のように吸収性本体１０の左右方向の両側から平面を維持しつつ左右方向の外側に張り出した形状となる。したがって、おむつ１の着用時において、サイドフラップＳＦが着用者の脚繰りに沿って面でフィットしやすくなり、脚回り開口部ＬＨから排泄物等が漏出することを抑制しやすくなる。
【００４８】
防漏壁部５０は、不織布等の柔軟なシート部材によって形成され、吸収体１１の左右方向の両側かつ厚さ方向の肌側に設けられている。おむつ１の着用時には、該防漏壁部５０が、吸収体１１の左右方向の両側から着用者の肌側に起立することにより、排泄物が吸収性本体１０の外側に漏出することを抑制する。
【００４９】
本実施形態の防漏壁部５０は、防漏壁シート５１及び、複数の防漏壁弾性部材５２を有している。防漏壁シート５１は、柔軟性を有する矩形状のシート部材であり、例えば不織布等によって構成されている。そして、吸収性本体１０の左右方向の両端部において、上下方向（吸収性本体１０の長手方向）に沿って接合され、図３に示されるように、左右方向の内側端５０ｉｓにて左右方向の外側に折り返されている。内側端５０ｉｓにて折り返され、厚さ方向に重ね合わされた防漏壁シート５１，５１の間には、糸ゴム等の複数の防漏壁弾性部材５２，５２…が、上下方向に伸長された状態で左右方向に所定の間隔を空けて固定されている。これにより、防漏壁部５０に対して、上下方向（長手方向）に沿った伸縮性が付与され、おむつ１の着用時においては、該伸縮性に基づいて防漏壁部５０の左右方向の内側端部（内側端５０ｉｓ）が着用者の肌側に起立する。
【００５０】
前側ベルト部２０及び後側ベルト部３０は、それぞれ、内層シート２１，３１と、内層シート２１，３１に積層された外層シート２２，３２と、複数の胴回り弾性部材２３，３３とを有する。
【００５１】
外層シート２２，３２は内層シート２１，３１よりも非肌側に配置されている。内層シート２１，３１及び外層シート２２，３２は吸収性本体１０よりも非肌側に配置されている。内層シート２１，３１及び外層シート２２，３２単体は、おむつ１の左右方向の伸縮性を実質的に有さない非伸縮性シートである。内層シート２１，３１及び外層シート２２，３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシートなどを用いることができる。
【００５２】
複数の胴回り弾性部材２３，３３は、内層シート２１，３１と外層シート２２，３２の間において、上下方向に並んで配置されるとともに、左右方向に伸長した状態で固定されている。よって、前側ベルト部２０及び後側ベルト部３０は左右方向に伸縮し、着用者の胴回りにフィットする。胴回り弾性部材２３，３３としては、ゴムやスパンデックス等の胴回り弾性部材を例示できる。なお、おむつ１では、後側ベルト部３０に設けられる胴回り弾性部材３３（後側胴回り部材３３）は、前側ベルト部２０に設けられる胴回り弾性部材２３（前側胴回り部材２３）よりも伸長倍率が高く設定されている。したがって、後側ベルト部３０に作用する左右方向の収縮力が、前側ベルト部２０に作用する左右方向の収縮力よりも大きく、おむつ１は後側（背側）において左右方向に収縮しやすくなっている。
【００５３】
また、上下方向において吸収性コア１１Ａと重複する位置に配置された胴回り弾性部材２３，３３の一部は、左右方向の中央部において伸縮性を発現しない、若しくは他の領域よりも伸縮性が弱くなっている部分を有している。おむつ１では、前側ベルト部２０の左右方向中央部で幅Ｗ２３の範囲において胴回り弾性部材２３が切断されており、当該範囲では左右方向の伸縮力が作用しにくく、前側ベルト部２０が収縮しにくくなっている。同様に、後側ベルト部３０の左右方向中央部で幅Ｗ３３の範囲において胴回り弾性部材３３が切断されており、当該範囲では左右方向の伸縮力が作用しにくく、後側ベルト部３０が収縮しにくくなっている。
【００５４】
また、本実施形態の後側ベルト部３０では、上端部から下端部に亘って胴回り弾性部材３３が配置されている。一方、前側ベルト部２０の上端部には、胴回り弾性部材２３が配置されておらず、代わりに、左右方向に伸縮する伸縮性シート２４が配置されている。このように、前側ベルト部２０の上端部に胴回り弾性部材２３を配置せずに伸縮性シート２４を配置することで、前側ベルト部２０の上端部が着用者の身体（肌）に面で密着しやすくなる。これにより、局所的な締め付けが抑えられ、着用者の肌に伸縮部材の跡を残り難くすることができる。特に、おむつ１の着用対象者として想定される乳幼児は、一般に、腹部がぽっこりと出た体型をしているため、本実施形態のように、前側ベルト部２０による腹部の局所的な締め付けを抑えることにより、着用時の不快感を生じにくくすることができる。
【００５５】
＜脚回り図柄６０について＞
図４は、一対の脚回り図柄６０の形状及び配置について説明する概略平面図である。同図４に示されるように、吸収性本体１０の左右方向の両側には、上下方向（吸収性本体１０の長手方向）に沿った一対の脚回り図柄６０が設けられている。本実施形態では、バックシート１３のバックフィルム１３ａの左右方向両側の領域を上下方向（長手方向）に沿って帯状に着色することによって脚回り図柄６０が形成されている。但し、バックフィルム１３ａ以外の部位に脚回り図柄６０が設けられていても良く、例えば、バックシート１３の外装シート１３ｂや、吸収体１１のコアラップシート１１Ｂに脚回り図柄６０が設けられていても良い。また、図４では、脚回り図柄６０が前後方向の前側（腹側）から後側（背側）へ亘って連続的に設けられているが、必ずしも連続している必要はなく、上下方向に沿って配置されているのであれば、部分的に途切れた図柄であっても良い。
【００５６】
おむつ１において、脚回り図柄６０は、上述したサイドフラップＳＦと重複する位置に設けられており、おむつ１をパンツ型に形成した際には、脚回り開口部ＬＨに沿って配置されている。したがって、おむつ１の着用時に、この帯状の脚回り図柄６０の状態を確認することにより、使用者（おむつ１を着用させる者）は、サイドフラップＳＦが着用者の脚繰りにしっかりフィットしているか否かを一見して認識しやすくなる。例えば、サイドフラップＳＦが着用者の脚繰りに面でフィットしていれば、脚回り図柄６０はきれいな帯状に見える。一方、サイドフラップＳＦの一部に捲れ等が生じている場合には、脚回り図柄６０が捻れたり、帯の幅が変化して見えたりする。
【００５７】
なお、図４では、脚回り図柄６０がサイドフラップＳＦと重複して配置されているが、おむつ１の着用時に脚回り図柄６０が脚繰りに沿って配置されるのであれば、上述のような機能を発揮することができる。例えば、サイドフラップＳＦよりも左右方向の内側に脚回り図柄６０が配置されていても良いし、サイドフラップＳＦを有していないおむつにおいて脚回り開口部ＬＨに沿って脚回り図柄６０が配置されているのであっても良い。
【００５８】
また、本実施形態の脚回り図柄６０は、おむつ１の前側では、吸収性本体１０の上端まで延びている。すなわち、図４に示されるように、脚回り図柄６０の前側上端（長手方向の前側端）６０ｅｆは、吸収性本体１０の上端に位置している。一方、おむつ１の後側において、脚回り図柄６０は吸収性本体１０の上端まで延びていない。すなわち、脚回り図柄６０の後側上端（長手方向の後側端）６０ｅｂは、上下方向において所定位置ＦＬ（吸収性本体１０の下端）と吸収性本体１０の上端（後側上端）との間に位置している。そのため、上下方向において、脚回り図柄６０が後側ベルト部３０と重複している部分の長さＬｂは、上下方向において脚回り図柄６０が前側ベルト部２０と重複している部分の長さＬｆよりも短くなっている（Ｌｂ＜Ｌｆ）。
【００５９】
そして、吸収性本体１０の後側上端部においては、脚回り図柄６０の内側端６０ｉが、上下方向に上側から下側に向かって左右方向の外側に傾斜している。したがって、一対の脚回り図柄６０，６０の左右方向における間隔は、上下方向の下側から上側に行くほど、広くなっている。言い換えると、左右方向において、一方側に配置された脚回り図柄６０の内側端６０ｉと、他方側に配置された脚回り図柄６０の内側端６０ｉとの間隔（内側端間隔）Ｗ６０ｉが、上側ほど長く（広く）なっている。
【００６０】
図４では、脚回り図柄６０の内側端６０ｉが傾斜している部分の上下方向における下端位置にて内側端間隔Ｗ６０ｉが最も狭くなり、内側端６０ｉが傾斜している部分の上下方向における上端位置にて内側端間隔Ｗ６０ｉが最も広くなっている。以下、脚回り図柄６０のうち、内側端６０ｉが傾斜している部分を「傾斜部６０Ｓ」とも呼ぶ。また、傾斜部６０Ｓの上下方向における下端位置を「傾斜開始位置Ｐｓ」とも呼ぶ。すなわち、脚回り図柄６０のうち、上下方向において傾斜開始位置Ｐｓと後側上端６０ｅｂとの間の領域が傾斜部６０Ｓとなる。
【００６１】
なお、傾斜部６０Ｓにおいて、脚回り図柄６０の内側端６０ｉは図４のように直線的に傾斜しているのではなく、傾斜角度が段階的に変化していても良いし、曲線的に傾斜していても良い。また、傾斜角度がゼロ、すなわち、傾斜部６０Ｓが設けられておらず内側端間隔Ｗ６０ｉが一定であっても良い。
【００６２】
図５Ａ及び図５Ｂは、比較例のおむつ２の外観について説明する図である。図５Ａは、展開状態のおむつ２を非肌側ら見たときの概略平面図であり、図５Ｂは、パンツ型状態のおむつ２を後側から見たときの概略斜視図である。図６Ａ及び図６Ｂは、本実施形態のおむつ１の外観について説明する図である。図６Ａ及び図６Ｂは、それぞれ図５Ａ及び図５Ｂに対応している。
【００６３】
比較例のおむつ２は、脚回り図柄６０の構成がおむつ１とは異なる。すなわち、おむつ２では、図５Ａに示されるように、脚回り図柄６０が、吸収性本体１０の長手方向の前側端から後側端に亘って連続して設けられている。したがって、上下方向において、脚回り図柄６０が後側ベルト部３０と重複している部分の長さＬｂと、脚回り図柄６０が前側ベルト部２０と重複している部分の長さＬｆとが等しくなっている。それ以外の構成はおむつ１とほぼ同様である。
【００６４】
このようなおむつ２をパンツ型に形成した状態で後側（背側）から見ると、図５Ｂのように、上下方向の上側に行くほど、一対の脚回り図柄６０，６０の左右方向における間隔が狭くなっているように見える。これは、胴回り弾性部材３３が発現している伸縮力によって後側ベルト部３０が左右方向に収縮することにより、該後側ベルト部３０と重複する長さＬｂの範囲において、上下方向の上側に行くほど一対の脚回り図柄６０，６０の内側端間隔Ｗ６０ｉが狭くなるためである。そのため、後側（背側）の胴回り域において吸収性本体１０の幅が狭くなっているような印象を使用者に与え、着用時に、臀部がはみ出したり吸収性が悪化したりするといった不安感を生じさせやすくなる。
【００６５】
これに対して、本実施形態のおむつ１では、図６Ａのように、脚回り図柄６０が、後側ベルト部３０と重複している部分の上下方向における長さＬｂが短い。そのため、おむつ１をパンツ型に形成した状態で後側（背側）から見たときに、一対の脚回り図柄６０，６０の内側端間隔Ｗ６０ｉが狭くなるのが目立ちにくい。これにより、後側（背側）の胴回り域において吸収性本体１０の幅が狭く見えてしまうことが抑制され、使用者に不安感を生じさせ難くすることができる。
【００６６】
なお、おむつ１の上下方向において、脚回り図柄６０と後側ベルト部３０とが重複している部分の長さＬｂが短いほど好ましく、長さＬｂがゼロであっても良い。後側（背側）の胴回り域において、脚回り図柄６０と後側ベルト部３０との重複する範囲が小さいほど、該脚回り図柄６０，６０の内側端間隔Ｗ６０ｉが狭くなるのが目立ちにくくなり、吸収性本体１０の幅が狭く見ることをより抑制しやすくなる。
【００６７】
また、図４で説明したように、おむつ１の脚回り図柄６０は、後側上端部において内側端６０ｉが左右方向外側に向かって傾斜した傾斜部６０Ｓを有しており、上下方向の上側ほど内側端間隔Ｗ６０ｉが広くなっている。したがって、後側ベルト部３０が左右方向に収縮することによって、脚回り図柄６０，６０の左右方向の間隔が狭くなったとしても、内側端間隔Ｗ６０ｉは狭くなったようには見えにくい。すなわち、後側（背側）の胴回り域において脚回り図柄６０，６０の内側端間隔Ｗ６０ｉは変動していないように使用者に錯覚させる。これにより、吸収性本体１０の幅が狭く見えてしまうことをより抑制しやすくなる。
【００６８】
なお、図４に示されるように、脚回り図柄６０の傾斜部６０Ｓの上下方向における長さＬＳｙは、左右方向における長さＬＳｘよりも長い。言い換えると、脚回り図柄６０の傾斜開始位置Ｐｓと後側上端６０ｅｂとの上下方向の間隔ＬＳｙは、傾斜開始位置Ｐｓでの内側端６０ｉの位置と、後側上端６０ｅｂでの内側端６０ｉの位置との左右方向の間隔ＬＳｘよりも長くなっている（ＬＳｙ＞ＬＳｘ）。つまり、上下方向（吸収性本体１０の長手方向）と、傾斜部６０Ｓとがなす角度のうち小さい方の角度（上下方向に対する傾斜角度）が鋭角となっている。これにより、脚回り図柄６０の内側端間隔Ｗ６０ｉの広がり方が緩やかとなり、脚回り図柄６０の後側上端部に傾斜部６０Ｓが設けられていることが目立ちにくく、使用者に不自然な印象を与えにくくすることができる。
【００６９】
さらに、脚回り図柄６０の傾斜部６０Ｓの上下方向における長さＬＳｙが、左右方向における長さＬＳｘの２倍よりも長くなっていることが好ましい（ＬＳｙ＞２ＬＳｘ）。このような構成であれば、傾斜部６０Ｓにおける内側端間隔Ｗ６０ｉの広がり方がより緩やかとなり、使用者に不自然な印象をより与えにくくなる。また、傾斜が目立ちにくくなることにより、おむつ１の着用時において、脚回り図柄６０が曲がったり傾いたりして見えることを抑制しやすくなる。これにより、サイドフラップＳＦが着用者の脚繰りに沿ってフィットしているか否かを確認しやすくなる。
【００７０】
また、脚回り図柄６０の傾斜開始位置Ｐｓは、上下方向において、後側ベルト部３０の下端３０ｅｄと、おむつ１の下端（すなわち所定位置ＦＬ）との間に位置している。したがって、少なくともおむつ１の下端（ＦＬ）においては、脚回り図柄６０の内側端間隔Ｗ６０ｉは狭くなっておらず、下端よりも上側のいずれかの領域において内側端間隔Ｗ６０ｉが広くなる。これにより、着用者の股下部（おむつ１の下端部）付近では脚回り開口部ＬＨに沿って脚回り図柄６０がはっきりと見えやすくなり、脚繰りにおけるフィット性を視覚的に認識しやすくなる。一方、着用者の背側胴回り部付近では、内側端間隔Ｗ６０ｉが広がることにより、吸収性本体１０の左右方向への収縮が目立ちにくくなる。
【００７１】
さらに、脚回り図柄６０の傾斜開始位置Ｐｓは、上下方向において、後側ベルト部３０の下端３０ｅｄとおむつ１の下端（すなわち所定位置ＦＬ）との中間位置ＦＣよりも上側にあることがより望ましい（図４参照）。おむつ１は、後側ベルト部３０が設けられている領域にて左右方向に大きく収縮するが、後側ベルト部３０よりも下側の領域では左右方向の収縮は小さい、若しくはほとんど収縮していない（図６参照）。そのため、上下方向において後側ベルト部３０とより近い位置に傾斜開始位置Ｐｓが設けられることにより、左右方向に収縮しにくい領域では内側端間隔Ｗ６０ｉを一定間隔に保ちつつ、左右方向に収縮しやすい領域では脚回り図柄６０の内側端間隔Ｗ６０ｉを広くすることができる。これにより、後側ベルト部３０付近において、吸収性本体１０の左右方向への収縮をより目立ちにくくすることができる。
【００７２】
図７は、おむつ１の脚回り図柄６０の視認性について実験した結果を表す表である。視認性についての実験は、以下のようにして行った。先ず、本実施形態のおむつ１と、比較例としておむつ２及びおむつ３を準備し、それぞれの着用状態について複数の使用者（乳幼児の保護者１２人）に視認してもらった。そして、背側胴回り域において吸収性本体の幅が最も広く見えるおむつをＡ，２番目に幅が広く見えるおむつをＢ，最も幅が狭く見えるおむつをＣとして、３種類のおむつについて視認性の評価を行った。なお、比較例のおむつ２は、図５で説明したおむつ２と同じものである。比較例のおむつ３（不図示）は、おむつ１と同様に、上下方向において、脚回り図柄６０と後側ベルト部３０とが重複している部分の上下方向長さＬｂが、脚回り図柄６０と前側ベルト部２０とが重複している部分の上下方向長さＬｆよりも短くなっている（Ｌｂ＜Ｌｆ）。一方、おむつ３の脚回り図柄６０には後側上端部に傾斜部が設けられておらず、内側端間隔Ｗ６０ｉが一定である。
【００７３】
実験の結果、７５％（１２名のうち９名）の使用者が、おむつ１をＡと評価した。一方、比較例のおむつ２，３をＡと評価した使用者はそれぞれ１７％（２名）、８％（１名）であったことから、本実施形態のおむつ１と比較例のおむつ２，３とでは視認性に関して大きな差が生じていることがわかった。すなわち、脚回り図柄６０の構成を本実施形態のようにすることで（図６参照）、背側胴回り域において吸収性本体１０の幅を広く見せることができることが明らかとなった。
【００７４】
また、おむつ２とおむつ３とを比較した場合、おむつ２をＢと評価した使用者が２５％であったのに対して、おむつ３をＢと評価した使用者は５８％であった。一方、おむつ２をＣと評価した使用者が５５％であったのに対して、おむつ３をＣと評価した使用者は３３％であった。これらの結果から、おむつ３のように脚回り図柄６０の後側上端部に傾斜部６０Ｓを有していない場合であっても、脚回り図柄６０と後側ベルト部３０とが重複する部分を小さくすることにより、視認性が向上することがわかった。すなわち、後側ベルト部３０との重複長さＬｂを前側ベルト部２０との重複長さＬｆよりも短くすることにより（Ｌｂ＜Ｌｆ）、背側胴回り域において吸収性本体１０の幅を広く見せることができることが明らかとなった。
【００７５】
続いて、脚回り図柄６０と、ベルト部材２０，３０の胴回り弾性部材２３，３３との関係について説明する。図２に示されるように、左右方向において、一対の脚回り図柄６０の内側端６０ｉは、後側ベルト部３０の胴回り弾性部材３３（後側胴回り弾性部材３３）と重複していない。したがって、脚回り図柄６０は、胴回り弾性部材３３による収縮力の影響を受けにくい。これにより、後側ベルト部３０と重複する領域において、脚回り図柄６０の内側端６０ｉの左右方向における位置が変動しにくくなり、内側端間隔Ｗ６０ｉが狭くなったり、脚回り図柄６０自体が左右方向に湾曲したりすることを抑制しやすくなる。
【００７６】
一方、図４に示されるように、左右方向において、一対の脚回り図柄６０の内側端６０ｉは、前側ベルト部２０の胴回り弾性部材２３（前側胴回り弾性部材）と重複する部分を有している。上述したように、前側ベルト部２０に作用する胴回り弾性部材２３による左右方向の収縮力は、後側ベルト部３０に作用する胴回り弾性部材３３による左右方向の収縮力よりも小さい。したがって、おむつ１の前側（腹側）において脚回り図柄６０が胴回り弾性部材２３と重複していたとしても、該胴回り弾性部材２３による影響は小さく、内側端間隔Ｗ６０ｉが狭くなる等の問題は生じにくい。したがって、おむつ１の前側では胴回り弾性部材２３に関わらず、脚回り図柄６０を配置することが可能となり、デザインの自由度を高めたり、脚回り図柄６０を印刷するための印刷コストを低く抑えたりすることができる。
【００７７】
また、図２に示されるように、後側ベルト部３０の左右方向中央部において、後側胴回り弾性部材３３の伸縮力が作用しない部分の長さＷ３３は、前側ベルト部２０の左右方向中央部において、前側胴回り弾性部材２３の伸縮力が作用しない部分の長さＷ２３よりも長くなっている（Ｗ３３＞Ｗ２３）。この場合、後側ベルト部３０に作用する左右方向の収縮力を弱めることができるため、長さＷ３３の範囲では、吸収性本体１０も左右方向に収縮しにくくなる。これにより、背側胴回り域において吸収性本体１０の幅が狭く見えてしまうことをより抑制しやすくなる。
【００７８】
一方、後側胴回り弾性部材３３による伸縮力が作用しない部分の長さＷ３３が、前側胴回り弾性部材２３による伸縮力が作用しない部分の長さＷ２３以下であっても良い（Ｗ３３≦Ｗ２３）。この場合、腹側胴回り域において左右方向の収縮力が弱くなるため、腹側において吸収性本体１０がより収縮しにくくなる。したがって、後側胴回り域において吸収性本体の幅が狭く見えてしまうことが抑制されるのに加えて、前側胴回り域においても吸収性本体の幅が広く見えるようになる。これにより、着用者の身体の前後が吸収性本体によってしっかりと覆われているように見え、排泄物が漏れにくい等の安心感を使用者（おむつ１を着用させる者）に感じさせることができる。
【００７９】
また、図４に示されるように、後側ベルト部３０の下端３０ｅｄにおける脚回り図柄６０の左右方向の幅Ｗ３０ｅｄは、前側ベルト部２０の下端２０ｅｄにおける脚回り図柄６０の左右方向の幅Ｗ２０ｅｄよりも狭くなっている。前側ベルト部２０と重複する部分では、脚回り図柄６０の左右方向における幅は狭くなっていない。一方、後側ベルト部３０の下端３０ｅｄでは、脚回り図柄６０の傾斜部６０Ｓと重複することにより、幅Ｗ３０ｅｄが狭くなっている。そして、幅が狭くなった脚回り図柄６０（Ｗ３０ｅｄ）によって両側を囲まれることにより、内側端間隔Ｗ６０ｉは逆に幅が広く見えるようになる。すなわち、使用者は内側端間隔Ｗ６０ｉが広くなったように錯覚しやすい。これにより、背側胴回り域において吸収性本体１０が左右方向に広がったように見せることができる。
【００８０】
＜変形例＞
図８は、脚回り図柄６０の変形例について表す図である。図８の左側の図は、展開かつ伸長状態のおむつ１について表し、右側の図は、パンツ型状態のおむつ１について表している。本変形例では、脚回り図柄６０が横縞（ストライプ）模様によって形成されている。すなわち、左右方向に沿った帯状の線が上下方向に平行に複数並ぶことによって脚回り図柄６０が形成されている。なお、脚回り図柄６０の外縁の形状（輪郭）は上述の実施形態と同様である。すなわち、変形例の脚回り図柄６０においても、前側ベルト部２０との重複長さＬｆが後側ベルト部３０との重複長さＬｂよりも長く、また、後側上端部に傾斜部６０Ｓを有している。
【００８１】
脚回り図柄６０が横縞模様であることにより、おむつ１の着用時に着用者の脚繰りに沿って縞模様が並び、サイドフラップＳＦの位置ずれや捲れが視認しやすくなる。これにより、サイドフラップＳＦが着用者の脚に面でフィットしていることをより確認しやすくなる。また、横縞であるため、脚回り図柄６０の左右方向への変動が目立ちにくい。例えば、脚回り図柄６０が縦縞であった場合、傾斜部６０Ｓにおける傾きが目立ちやすくなったり、後側ベルト部３０が左右方向に収縮して脚回り図柄６０の内側端間隔Ｗ６０ｉが狭くなったときに縦縞が左右方向に歪んだように見えたりするおそれがある。これに対して脚回り図柄６０が横縞で形成されることによって、脚回り図柄６０の歪み等が目立ちにくくなり、おむつ１全体としての見栄えが悪化することを抑制することができる。
【００８２】
＝＝＝その他の実施の形態＝＝＝
以上、本考案の実施形態について説明したが、上記の実施形態は、本考案の理解を容易にするためのものであり、本考案を限定して解釈するためのものではない。また、本考案は、その趣旨を逸脱することなく、変更や改良され得るとともに、本考案にはその等価物が含まれるのはいうまでもない。
【００８３】
上述の実施形態では、前側ベルト部２０の上端部に伸縮性シート２４が配置されていたが、このような構成に限られない。例えば、上下方向における前側ベルト部２０の何れの位置に伸縮性シート２４を配置しても良い。また、後側ベルト部３０が伸縮性シートを有し、前側ベルト部２０が伸縮性シートを有していなくても良いし、前側ベルト部２０と後側ベルト部３０が共に伸縮性シート２４を有していても良い。また、前側ベルト部２０及び後側ベルト部３０のいずれにも伸縮性シート２４が設けられていなくても良いし、伸縮性シート２４の代わりに胴回り弾性部材２３，２４に相当する糸ゴム等の弾性部材が設けられていても良い。
【００８４】
また、上記の実施形態では、前側ベルト部２０と後側ベルト部３０が分離されて別部材であるおむつを例示したが、前側ベルト部２０と後側ベルト部３０の間に股下部が設けられ、前側ベルト部２０と後側ベルト部３０が連続した一部材であっても良い。
【符号の説明】
【００８５】
１  おむつ（パンツ型吸収性物品）、
２  おむつ（比較例）、
１０  吸収性本体、１０ｅｓ  端（左右方向）、
１１  吸収体、１１ｅｓ  端（左右方向）、
１１Ａ  吸収性コア、１１ＡＣ  くびれ部、１１Ｂ  コアラップシート、
１２  トップシート、１３  バックシート、
１３ａ  バックフィルム、１３ｂ  外装シート、１３ｂｆ  延出部、
１７  脚回り弾性部材、
２０  前側ベルト部（腹側胴回り部）、２０ｅｄ  下端、
２１  内層シート、２２  外層シート、
２３  胴回り弾性部材（前側胴回り弾性部材）、２４  伸縮性シート、
３０  後側ベルト部（背側胴回り部）、３０ｅｄ  下端、
３１  内層シート、３２  外層シート、
３３  胴回り弾性部材（後側胴回り弾性部材）、
４０  接合領域、
５０  防漏壁部、５０ｉｓ  内側端、
５１  防漏壁シート、５２  防漏壁弾性部材、
６０  脚回り図柄、
６０ｅｆ  前側上端（長手方向前側端）、６０ｅｂ  後側上端（長手方向後側端）、
６０ｉ  内側端、
６０Ｓ  傾斜部、
ＢＨ  胴回り開口部、ＬＨ  脚回り開口部、
ＦＬ  所定位置、
ＳＦ  サイドフラップ、
Ｐｓ  傾斜開始位置、
Ｌｆ  長さ（前側）、Ｌｂ  長さ（後側）、
ＬＳｘ  長さ（左右方向）、ＬＳｙ  長さ（上下方向）、
Ｗ６０ｉ  内側端間隔
【図１】
0003217274.tif 000003
【図２】
0003217274.tif 000004
【図３】
0003217274.tif 000005
【図４】
0003217274.tif 000006
【図５】
0003217274.tif 000007
【図６】
0003217274.tif 000008
【図７】
0003217274.tif 000009
【図８】
0003217274.tif 000010